(57)【要約】【課題】装飾部材を均一に発光させることが可能なパチンコ機の電飾装置を提供する。【解決手段】ランプ基板と、ランプ基板の前面側に重なるように設けられ、ランプ基板のＬＥＤを受容する前側受容部１１３ａ〜１１３ｇおよび、ランプ基板のＬＥＤで発光した光を透過させる前側透光部１１４ａ〜１１４ｆを有する板状の前側透光部材１１１と、前側透光部材１１１の前面側に重なるように設けられた板状の装飾部材とを備えて電飾装置が構成され、前側透光部１１４ａ〜１１４ｆは、ランプ基板のＬＥＤから発光されランプ基板の前面に沿って進む光を装飾部材に向けて反射させる前側反射部１１５ａ〜１１５ｆを有している。【選択図】図１６
2014104058.tif 000002
【特許請求の範囲】
【請求項１】
開口部を有する本体部材と、前記本体部材に対して前記開口部を開閉可能に取り付けられた開閉部材とを備える遊技機の前記開閉部材に設けられた電飾装置であって、
一方の面側に配設されて前記一方の面に沿って進む光を発光させる一方側発光体を有するランプ基板と、
前記ランプ基板の前記一方の面側に重なるように設けられ、前記一方側発光体を受容する一方側受容部および、前記一方側発光体で発光した光を透過させる一方側透光部を有する板状の一方側透光部材と、
前記一方側透光部材の一方の面側に重なるように設けられた板状の装飾部材とを備え、
前記一方側透光部は、前記一方側発光体で発光した前記一方の面に沿って進む光を前記装飾部材に向けて反射させる一方側反射部を有していることを特徴とする遊技機の電飾装置。
【請求項２】
前記一方側反射部は、前記一方側透光部の他方の面に形成された、前記一方側発光体で発光した光の進む方向に沿って並ぶ複数の一方側溝部を有し、
前記複数の一方側溝部は、前記一方側受容部から離れるほど曲率半径が大きくなる円弧状に延びて形成されていることを特徴とする請求項１に記載の遊技機の電飾装置。
【請求項３】
前記ランプ基板は、前記ランプ基板の他方の面側に配設されて前記他方の面に沿って進む光を発光させる他方側発光体を有しており、
前記ランプ基板の前記他方の面側に重なるように設けられた板状の底板部および、前記底板部の縁部から一方側に延びて前記ランプ基板および前記一方側透光部材の縁部を囲む側壁部を有する他方側透光部材をさらに備え、
前記底板部は、前記他方側発光体を受容する他方側受容部と、前記他方側発光体で発光した光を透過させる他方側透光部とを有し、
前記側壁部に繋がる前記底板部の縁部に、前記他方側透光部を透過する光を前記側壁部に向けて反射させる反射面部が設けられており、
前記装飾部材は、前記一方側透光部材の前記一方の面側および前記側壁部の前記一方側の端部に重なるように設けられることを特徴とする請求項１または２に記載の遊技機の電飾装置。
【発明の詳細な説明】
【技術分野】
【０００１】
本発明は、パチンコ機等の遊技機の電飾装置に関する。
【背景技術】
【０００２】
パチンコ機には、遊技領域を構成する遊技盤のほぼ中央にセンター飾りを配置し、このセンター飾りに液晶ディスプレイ等の演出表示装置を設けたものが知られている。このようなパチンコ機は、遊技領域内に設けられた始動入賞口に遊技球が入球したことを契機として、演出表示装置において複数の図柄（装飾図柄）を変動させた後に停止表示したときの図柄の組み合わせが予め設定された当たり図柄であった場合、特別遊技状態（大当たり）を成立させるように構成されている。特別遊技状態においては、遊技領域内に設けられたアタッカーと称される大入賞口を開放して遊技球の入球を容易にし、これにより遊技者が大量の賞球を獲得できるようになっている。
【０００３】
一方、演出表示装置における抽選結果を示唆する演出表示のみでは遊技に興趣性を持たせることが難しく、単調な遊技内容となりやすい。そこで、遊技領域に演出表示装置と共に、遊技の展開状況に応じて所要の演出動作を実行する可動式の電飾装置を設け、この装飾装置を演出表示装置上で行われる演出表示と同期・融合させて適時動作させることにより、視覚的な演出効果をさらに向上させるようにした構成が知られている（例えば、特許文献１を参照）。
【先行技術文献】
【特許文献】
【０００４】
【特許文献１】特開２０１１−２２４２５２号公報
【発明の概要】
【発明が解決しようとする課題】
【０００５】
遊技盤における電飾装置の設置スペースは限られており、電飾装置において遊技者に視認させる装飾部材も薄くする必要がある。しかしながら、薄くした装飾部材を発光させようとすると、光源からの光が装飾部材の全体に広がりにくいため、装飾部材を均一に発光させることが難しかった。
【０００６】
本発明は、このような課題に鑑みてなされたものであり、装飾部材を均一に発光させることが可能な遊技機の電飾装置を提供することを目的とする。
【課題を解決するための手段】
【０００７】
このような目的達成のため、本発明に係る遊技機の電飾装置は、開口部を有する本体部材と、前記本体部材に対して前記開口部を開閉可能に取り付けられた開閉部材とを備える遊技機の前記開閉部材に設けられた電飾装置であって、一方の面側に配設されて前記一方の面に沿って進む光を発光させる一方側発光体を有するランプ基板と、前記ランプ基板の前記一方の面側に重なるように設けられ、前記一方側発光体を受容する一方側受容部および、前記一方側発光体で発光した光を透過させる一方側透光部を有する板状の一方側透光部材と、前記一方側透光部材の一方の面側に重なるように設けられた板状の装飾部材とを備え、前記一方側透光部は、前記一方側発光体で発光した前記一方の面に沿って進む光を前記装飾部材に向けて反射させる一方側反射部を有している。
【発明の効果】
【０００８】
本発明によれば、装飾部材を均一に発光させることができる。
【図面の簡単な説明】
【０００９】
【図１】パチンコ機の正面図である。
【図２】パチンコ機の背面図である。
【図３】前枠の正面図である。
【図４】球皿ユニットの背面図である。
【図５】（ａ）は遊技盤の正面図であり、（ｂ）は遊技盤の背面図である。
【図６】主制御装置、副制御装置および払出制御装置の制御形態を示すブロック図である。
【図７】電飾装置の正面図である。
【図８】電飾装置の背面図である。
【図９】電飾装置の斜視図である。
【図１０】ランプ基板の斜視図である。
【図１１】ランプ基板の背面図である。
【図１２】（ａ）は後側透光部材の前面側を示す斜視図であり、（ｂ）は後側透光部材の上部前面側を示す拡大図である。
【図１３】後側透光部材の背面図である。
【図１４】図１３における矢印XIV−XIVに沿って示す断面図である。
【図１５】前側透光部材の正面図である。
【図１６】（ａ）は前側透光部材の背面図であり、（ｂ）は前側透光部材の上部背面側を示す拡大図である。
【図１７】装飾部材の正面図である。
【図１８】装飾部材の背面図である。
【図１９】電飾装置を上方から見た平面図である。
【発明を実施するための形態】
【００１０】
以下、本発明の好ましい実施形態について図面を参照して説明する。まず、本発明に係る装飾装置が設けられるパチンコ機ＰＭの概要構成を図１〜図６を参照しながら説明する。
【００１１】
本実施形態に係るパチンコ機ＰＭは、図１に示すように、外郭方形枠サイズに構成された縦向きの固定保持枠をなす外枠１の開口部前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１２】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う発射ハンドル１６０が設けられている。ガラス扉５の背後に位置する前枠２の上部には、遊技盤１０を着脱可能に収容する方形枠状の収容枠（図示せず）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１３】
遊技盤１０は、図５に示すように、ルータ加工等を施した矩形状の積層合板に、所定の図柄が印刷されたセルを貼り付けて成型される化粧板１１を基板として構成される。図５（ａ）に示すように、化粧板１１の前面には、飛送レール（図示せず）及び内レール１２aが円弧状に固設されて遊技球が転動可能な略円形の遊技領域ＰＡが区画形成されている。飛送レール及び内レール１２aにより遊技球を遊技領域ＰＡに誘導する発射通路１２ｂが形成され、この発射通路１２ｂにおける遊技球の出口開口１２ｃの近傍位置（内レール１２aの先端部）に、発射通路１２ｂを通って出口開口１２ｃから遊技領域ＰＡ内に放出された遊技球が再び発射通路１２ｂに逆戻りするのを防止する球戻り防止装置１３が設けられている。
【００１４】
遊技盤１０の遊技領域ＰＡには、多数本の遊技釘とともに、風車や各種の入賞装置１４，１５，１６，１７、遊技の進行状況に応じて各種の演出パターンの画像および図柄を表示する図柄表示装置１８などの遊技構成部品が取り付けられている。また、遊技領域ＰＡの下端には、各入賞装置に入賞せずに落下した遊技球を遊技盤１０の裏面側へ排出させるアウト口１９が設けられている。また、図柄表示装置１８の下部と化粧板１１との間隙部には、詳細は後述する電飾装置５０が設けられている。さらに、図柄表示装置１８の上部に第１の可動式演出装置２００が設けられ、図柄表示装置１８の上部および下部に第２の可動式演出装置２５０（図５（ｂ）を参照）が設けられている。
【００１５】
図３に示すように、前枠２の前面下部には、球皿ユニット６の背後に位置して遊技盤１０と上下に整合し得る遊技補助盤２０が形成されており、この遊技補助盤２０の各部に、遊技盤１０へ向けて遊技球を発射する発射機構２１、前枠２の前後に連通して形成された賞球連絡通路２２および溢れ球通路２３、遊技領域ＰＡに到達できずに発射通路１２を戻ってくる遊技球（すなわちファール球）を回収する遊技球回収機構２４などが設けられている。なお、詳細な図示を省略するが、発射機構２１の前方には、この発射機構２１の前面側を覆うカバー部材（図示せず）が着脱自在に取り付けられている。このカバー部材（図示せず）は、例えばＡＢＳ樹脂などの樹脂材料を用いて射出成形等の成形手段で形成されている。
【００１６】
常には遊技補助盤２０を覆って閉鎖状態に保持される球皿ユニット６の背面側には、図４に示すように、遊技補助盤２０に設けられた各機器に対応した機構装置が装備されている。すなわち、発射機構２１に対応して上球皿６ａに貯留された遊技球を１球ずつ発射機構２１に送り出す球送りカセット２６が設けられ、賞球連絡通路２２に位置整合して賞球連絡通路２２から流下する遊技球を上球皿６ａに導く上球皿連絡ダクト２７が設けられ、溢れ球通路２３に位置整合して溢れ球通路２３から流下する遊技球を下球皿６ｂに導く下球皿連絡ダクト２８が設けられている。
【００１７】
なお、球皿ユニット６に設けられた発射ハンドル１６０は、パチンコ機ＰＭの機体から前方に突出するハンドルベース１６１（図４を参照）と、このハンドルベース１６１の前方に回動操作可能に設けられた回動レバー１６２（図１を参照）と、ハンドルベース１６１内に設けられ回動レバー１６２の回動操作量を検出するポテンショメータ等の角度検出器１６３（図６を参照）と、遊技者が発射ハンドル１６０（回動レバー１６２）に接触しているか否かを検出するタッチ検出器１６４（図６を参照）などを備えて構成されている。なお、角度検出器１６３及びタッチ検出器１６４の検出信号は、詳細は後述する払出制御装置４４に入力され、払出制御装置４４は、タッチ検出器１６４からの検出信号から遊技者が発射ハンドル１６０に触れているか否かを判定し、角度検出器１６３からの検出信号から回動レバー１６２の回動操作量を検知して、これらの検出信号に基づいて発射機構２１の作動を制御する。
【００１８】
前枠２の裏面側には、図２に示すように、外枠１の内寸サイズよりも幾分小さめの矩形枠状に形成された裏セット盤３０が着脱可能に取り付けられている。裏セット盤３０は、遊技盤１０の背後に位置する上部領域に、前後連通して開口する大型の窓口開口３０ａを有する枠状に形成されており、この窓口開口３０ａの上方に、遊技球を貯留する球貯留タンク３１、及び球貯留タンク３１と繋がって下方に若干傾斜するタンクレール３２が設けられ、背面視における窓口開口３０ａの右側に、タンクレール３２により前後各１列の整列状態で導かれた遊技球を遊技盤１０における入賞状態に基づいて払い出す球払出装置３３、球払出装置３３から払い出された遊技球を球皿ユニット６の上球皿６ａに導く球払出通路３４などの賞球機構が設けられている。
【００１９】
このため、球払出装置３３によって払い出され球払出通路３４から賞球連絡通路２２の後端部に流入した遊技球は、通常では、この賞球連絡通路２２を前方に流下し、上球皿連絡ダクト２７内の通路を通って上球皿６ａに達する。一方で、上球皿６ａが遊技球で満たされたときには、球払出装置３３によって払い出された遊技球は、賞球連絡通路２２から溢れ球誘導口（図示せず）を通過して溢れ球通路２３を流下し、下球皿連絡ダクト２８内の通路を通って下球皿６ｂに達する。
【００２０】
また、裏セット盤３０の背面には、制御装置、電子部品に電力を供給する電源ユニット４１、パチンコ機ＰＭの作動を統括的に制御する主制御装置（メイン制御基板）４２、画像表示、効果照明および効果音等の遊技演出の制御を行う副制御装置（サブ制御基板）４３、球払出装置３３の作動を制御する払出制御装置４４等の各種基板や電子部品などが取り付けられ、これらが図示省略するコネクタケーブルで接続されてパチンコ機ＰＭが作動可能に構成される。
【００２１】
以上のように構成されるパチンコ機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル１６０を回動操作することにより遊技が開始される。発射ハンドル１６０が回動操作されると、上球皿６ａに貯留された遊技球が、球皿ユニット６の裏面側に配設される球送りカセット２６によって１球ずつ発射機構２１に送り出され、発射機構２１のハンマー２１ａにより遊技領域ＰＡに打ち出されてパチンコゲームが展開される。
【００２２】
ここで、遊技領域ＰＡに打ち出された遊技球が各入賞装置に落入したときの遊技球の払い出し処理について説明する。遊技盤１０に設けられる入賞装置には、その外観意匠や入賞時の動作を含めて種々の形態のものがあり、ゲージ設定に応じてどのような形態の入賞装置を用いるものであってもよいが、例えば図５に例示した遊技盤１０では、一般入賞装置１４、始動入賞装置１５，１６、大入賞装置１７の３種類の入賞装置を設けた例を示している。
【００２３】
一般入賞装置１４は、遊技球が落入可能な入賞口１４ａを有する固定入賞具であり、この入賞口１４ａに落入したセーフ球はセーフ球通路を通って化粧板１１の裏面側に排出され、該裏面側に設けられた入賞球検出器１４ｓ（図６を参照）を通過することによって入賞が検出されるようになっている。入賞球検出器１４ｓは、遊技球の通過を検出可能な通過型センサである限り特に限定されず、例えば、磁気センサや光センサ、近接スイッチ等の非接触動作型でも、マイクロスイッチのような接触動作型でもよい（以下に示す入賞球検出器１５ｓ，１６ｓ，１７ｓにおいても同様とする）。
【００２４】
始動入賞装置１５，１６は、遊技球が落入可能な入賞口１５ａ，１６ａを有し、図柄の変動開始の条件を定める入賞具であり、この入賞口１５ａ，１６ａに落入したセーフ球はセーフ球通路を通って化粧板１１の裏面側に排出され、該裏面側に設けられた入賞球検出器１５ｓ，１６ｓ（図６を参照）を通過することによって入賞が検出されるようになっている。
【００２５】
大入賞装置１７は、遊技球が落入可能な入賞口１７ａを有し、いわゆるアタッカー型の可動入賞装置であり、横長方形状の大入賞口１７ａを覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口１７ａが開放される。大入賞口１７ａに落入したセーフ球はセーフ球通路を通って化粧板１１の裏面側に排出され、該裏面側に領域開口に対応して設けられた入賞球検出器１７ｓ（図６を参照）を通過することによって入賞が検出されるようになっている。なお、入賞球検出器１４ｓ，１５ｓ，１６ｓ，１７ｓにより検出された遊技球は、遊技済み球排出通路（図示せず）を流下して遊技施設の遊技島の回収装置に排出される。
【００２６】
遊技領域ＰＡに打ち出された遊技球のうち、いずれの入賞装置にも入賞しなかった遊技球は、アウト球としてアウト口１９を通過する。アウト口１９を通過したアウト球はアウト球通路を通って化粧板１１の裏面側に排出され、該裏面側に設けられたアウト球検出器１９ｓ（図６を参照）によってアウト球の通過が検出されるようになっている。なお、アウト球検出器１９ｓにより検出された遊技球は、遊技済み球排出通路（図示せず）を流下して遊技施設の遊技島の回収装置に排出される。
【００２７】
なお、各入賞球検出器１４ｓ，１５ｓ，１６ｓ，１７ｓから出力された入賞検出信号が主制御装置４２に入力されると、主制御装置４２は、球払出装置３３により払い出す賞球の数を認識可能な情報を有した入賞コマンドを出力する。払出制御装置４４は、主制御装置４２から入力された入賞コマンドに応じて球払出装置３３の作動を制御し、球払出装置３３によって、入賞装置１４〜１７（入賞球検出器１４ｓ〜１７ｓ）の種類に応じて設定された個数の賞球が払い出される。
【００２８】
また、始動入賞装置１５，１６の入賞球検出器１５ｓ，１６ｓから出力された入賞検出信号が主制御装置４２に入力されると、主制御装置４２は、図柄表示装置１８に表示させる図柄変動パターンおよび、スピーカー９や電飾装置５０等に実行させる演出パターンを認識可能な情報を有した制御コマンドを出力する。副制御装置４３は、主制御装置４２から入力された制御コマンドに応じて、図柄表示装置１８、スピーカー９、および電飾装置５０等の作動を制御する。
【００２９】
ここで、第１の可動式演出装置２００および第２の可動式演出装置２５０について簡単に説明する。第１の可動式演出装置２００は、図５（ａ）に示すように、発光可能な板状の電飾部材２０１と、電飾部材２０１を上下移動させる上下移動装置２０５（図５（ｂ）を参照）とを有して構成される。上下移動装置２０５は、電飾部材２０１が上方に移動して化粧板１１の上部背面側に隠れる上方位置（図５（ａ）を参照）と、電飾部材２０１が下方に移動して図柄表示装置１８の前方に現れる下方位置とに、電飾部材２０１を上下移動可能に構成される。上下移動装置２０５は、詳細な図示を省略するが、化粧板１１の左背面側に上下に延びるように配置され、電飾部材２０１を上下移動させるための上下駆動モーターと、上下駆動モーターの回転駆動力を電飾部材２０１に伝えるラック＆ピニオン機構とを有している。
【００３０】
通常の状態では、電飾部材２０１が上下移動装置２０５により上方位置に移動して化粧板１１の上部背面側に隠れており、所定の遊技状態となったときに、電飾部材２０１が上下移動装置２０５により下方位置に移動して図柄表示装置１８の前方に現れ、発光するようになっている。上下移動装置２０５のラック＆ピニオン機構は、電飾部材２０１の上下移動速度を高めるために、上下駆動モーターに対するギヤ比が比較的小さく設定されている。そのため、電飾部材２０１を上方へ移動させるときに上下駆動モーターに負荷がかかりやすい。そこで、ラック＆ピニオン機構におけるラックギヤの上方には、電飾部材２０１を上方位置へ引き付けるための磁石（図示せず）と、電飾部材２０１と磁石との衝突を緩衝する緩衝バネ（図示せず）とが設けられている。これにより、電飾部材２０１をスムーズに上方へ移動させることができる。
【００３１】
第２の可動式演出装置２５０は、図５（ｂ）に示すように、図柄表示装置１８の上側に位置する上部リング部材２５１と、図柄表示装置１８の下側に位置する下部リング部材２５２と、上部リング部材２５１および下部リング部材２５２を上下移動させる上下引出装置２５５とを有して構成される。上部リング部材２５１および下部リング部材２５２はそれぞれ、リング状に形成された５つの円環部が横方向に並んで揺動自在に連結された部材である。上部リング部材２５１および下部リング部材２５２にはそれぞれ、上部リング部材２５１および下部リング部材２５２の各円環部が横一列に並ぶように付勢力を与える上部付勢バネ２５３および下部付勢バネ２５４が取り付けられている。上下引出装置２５５は、上部リング部材２５１が上方に移動して化粧板１１の上部背面側に隠れる上格納位置（図５（ｂ）を参照）と、上部リング部材２５１が下方に移動して図柄表示装置１８の前方に現れる下引出位置とに、上部リング部材２５１を上下移動可能に構成される。また、上下引出装置２５５は、下部リング部材２５２が下方に移動して化粧板１１の下部背面側に隠れる下格納位置（図５（ｂ）を参照）と、下部リング部材２５２が上方に移動して図柄表示装置１８の前方に現れる上引出位置とに、下部リング部材２５２を上下移動可能に構成される。
【００３２】
上下引出装置２５５は、上部リング部材２５１の中央の円環部を保持する上保持部２５６と、下部リング部材２５２の中央の円環部を保持する下保持部２５７と、上部リング部材２５１の左右端の円環部を上下移動させるとともに、下部リング部材２５２の左右端の円環部を上部リング部材２５１と反対方向に上下移動させる駆動部２５８とを有して構成される。上保持部２５６は、図柄表示装置１８の上方に設けられ、上部リング部材２５１の中央の円環部を上下方向にスライド移動自在に保持する。上保持部２５６には、上部リング部材２５１の中央の円環部が上方にスライド移動するように付勢力を与える上方バネ（図示せず）が取り付けられている。下保持部２５７は、図柄表示装置１８の下方に設けられ、下部リング部材２５２の中央の円環部を上下方向にスライド移動自在に保持する。下保持部２５７には、下部リング部材２５２の中央の円環部が上方にスライド移動するように付勢力を与える下方バネ（図示せず）が取り付けられている。
【００３３】
駆動部２５８は、詳細な図示を省略するが、化粧板１１の左右背面側に上下に延びるように配置され、上部リング部材２５１および下部リング部材２５２の左右端の円環部をそれぞれ上下移動させるための上下駆動モーターと、上下駆動モーターの回転駆動力を上部リング部材２５１および下部リング部材２５２の左右端の円環部に伝えるラック＆ピニオン機構とを有している。また、駆動部２５８は、上部リング部材２５１が下引出位置に移動したときに、上部リング部材２５１の左右端の円環部を、上保持部２５６の下端位置に保持された上部リング部材２５１の中央の円環部よりもさらに下方に移動させるようになっている。また、駆動部２５８は、下部リング部材２５２が上引出位置に移動したときに、下部リング部材２５２の左右端の円環部を、下保持部２５７の上端位置に保持された下部リング部材２５２の中央の円環部よりもさらに上方に移動させるようになっている。
【００３４】
通常の状態では、上下引出装置２５５により、上部リング部材２５１が上格納位置に移動して化粧板１１の上部背面側に隠れるとともに、下部リング部材２５２が下格納位置に移動して化粧板１１の下部背面側に隠れるようになっている。そして、所定の遊技状態となったときに、上下引出装置２５５により、上部リング部材２５１が下引出位置に移動して図柄表示装置１８の上部前方に現れるとともに、下部リング部材２５２が上引出位置に移動して図柄表示装置１８の下部前方に現れるようになっている。このとき、駆動部２５８により、上部リング部材２５１の左右端の円環部が中央の円環部よりも下方に移動するため、上部リング部材２５１を上方に湾曲させた状態で下引出位置に移動させることができる。またこのとき、駆動部２５８により、下部リング部材２５２の左右端の円環部が中央の円環部よりも上方に移動するため、下部リング部材２５２を下方に湾曲させた状態で上引出位置に移動させることができる。
【００３５】
これにより、上部リング部材２５１と下部リング部材２５２とを環状に繋がるようにして図柄表示装置１８の前方に出現させることができる。なおこのとき、上部リング部材２５１および下部リング部材２５２の各円環部の内部空間の位置に合わせて、図柄表示装置１８に円環状に並ぶ複数のキャラクタを表示させる制御を行うことも可能である。
【００３６】
次に、本実施形態の電飾装置５０について、図７〜図２１を参照しながら説明する。なお、本実施形態において、図９の各矢印で示す方向をそれぞれ、上下方向、前後方向、左右方向として説明する。図７〜図９に示すように、電飾装置５０は、遊技盤１０の化粧板１１の背面側に取り付け固定されたベース部６０と、ベース部６０に揺動可能に支持された可動部８０とを主体に構成される。
【００３７】
ベース部６０は、支持部材６１と、連結ピン６２と、駆動モーター６３と、揺動機構７０とを有して構成される。支持部材６１は、樹脂材料を用いて板状に形成され、図柄表示装置１８の下側における化粧板１１の背面側に取り付けられる。ベース部６０の上部に連結ピン６２が取り付けられ、この連結ピン６２を介して、可動部８０が支持部材６１の上部に揺動自在に支持される。駆動モーター６３は、支持部材６１の下部背面側に取り付けられ、揺動機構７０を介して、可動部８０が上下方向に延びるように起立して図柄表示装置１８の前方に現れる起立位置（図５、図７および図８を参照）と、可動部８０が左右方向に延びるように倒伏して化粧板１１および支持部材６１の背面側に隠れる倒伏位置（図９を参照）とに、可動部８０を揺動させる。
【００３８】
また、支持部材６１の下部背面側には、図８に示すように、モーター制御基板６４と、起立検出センサ６５と、倒伏検出センサ６６とが取り付けられている。モーター制御基板６４は、駆動モーター６３および副制御装置４３と電気的に接続され、副制御装置４３から入力されたモーター制御信号に応じて、駆動モーター６３の作動を制御する。起立検出センサ６５は、可動部８０が起立位置に揺動したことを検出して検出信号をモーター制御基板６４に出力する。倒伏検出センサ６６は、可動部８０が倒伏位置に揺動したことを検出して検出信号をモーター制御基板６４に出力する。
【００３９】
揺動機構７０は、図８に示すように、第１歯車７１と、第２歯車７２と、揺動アーム７４と、コイルバネ７９とを有して構成される。第１歯車７１は、駆動モーター６３の回転軸と結合され、第２歯車７２と噛合されている。第２歯車７２は支持部材６１の上部背面側に回転自在に取り付けられており、第２歯車７２の側部に係合ピン７３が取り付けられている。揺動アーム７４は樹脂材料を用いて棒状に形成され、第１揺動ピン７７を介して、揺動アーム７４の基端側が支持部材６１の下部背面側に上下方向に揺動自在に取り付けられる。揺動アーム７４の中間部に係合穴７５が長穴状に形成されており、第２歯車７２に取り付けられた係合ピン７３がこの係合穴７５に対してスライド移動自在に係合する。これにより、係合ピン７３を介して第２歯車７２と揺動アーム７４とが連結され、第２歯車７２の回転に応じて、揺動アーム７４が上下方向に揺動するようになっている。揺動アーム７４の先端側に長穴７６が形成されており、可動部８０に取り付けられた第２揺動ピン７８がこの長穴７６に対してスライド移動自在に係合する。これにより、第２揺動ピン７８を介して揺動アーム７４と可動部８０とが連結され、揺動アーム７４の揺動に応じて、可動部８０が上下方向に揺動するようになっている。すなわち、駆動モーター６３により第１歯車７１および第２歯車７２を回転させると、第１歯車７１および第２歯車７２の回転に応じて、揺動アーム７４とともに可動部８０が上下方向に揺動するようになっている。コイルバネ７９は、第１揺動ピン７７を利用して揺動アーム７４と支持部材６１とに跨って取り付けられ、揺動アーム７４に対して可動部８０を起立位置に揺動させる方向に付勢力を与える。
【００４０】
可動部８０は、図１０〜図１１に示すランプ基板８１と、図１０〜図１５に示す後側透光部材９１と、図１６〜図１８に示す前側透光部材１１１と、図１９〜図２０に示す装飾部材１２１とを有して構成される。ランプ基板８１の前面側には、図１０に示すように、７つの前側ＬＥＤ（Light  Emitting  Diode）８２ａ〜８２ｇが配設される。ランプ基板８１の背面側には、図１１に示すように、８つの後側ＬＥＤ８３ａ〜８３ｈが配設される。ランプ基板８１は、副制御装置４３と電気的に接続され、副制御装置４３から入力された発光制御信号に応じて、前側ＬＥＤ８２ａ〜８２ｇおよび後側ＬＥＤ８３ａ〜８３ｈの発光制御を行う。また、ランプ基板８１には、図１０に示すように、後側透光部材９１の係合ピン９８が係合可能な係合穴８４が形成される。
【００４１】
図１０に示すように、７つの前側ＬＥＤ８２ａ〜８２ｇはそれぞれ、光軸Ａｘ１〜Ａｘ７が右方向に延びた状態で上下方向にほぼ並列に並んで配置される。７つの前側ＬＥＤ８２ａ〜８２ｇにおいて、上から順に、第１の前側ＬＥＤ８２ａ、第２の前側ＬＥＤ８２ｂ、第３の前側ＬＥＤ８２ｃ、第４の前側ＬＥＤ８２ｄ、第５の前側ＬＥＤ８２ｅ、第６の前側ＬＥＤ８２ｆ、および第７の前側ＬＥＤ８２ｇとする。第１〜第７の前側ＬＥＤ８２ａ〜８２ｇはそれぞれ、ランプ基板８１の前面に沿って右方向に進む光を発光させる。
【００４２】
図１１に示すように、８つの後側ＬＥＤ８３ａ〜８３ｈのうち４つの後側ＬＥＤ８３ａ〜８３ｄはそれぞれ、光軸Ｂｘ１〜Ｂｘ４が上方向に延びた状態で左右方向に並んで配置される。左右方向に並ぶ４つの後側ＬＥＤ８３ａ〜８３ｄにおいて、左から（図１１における右から）順に、第１の後側ＬＥＤ８３ａ、第２の後側ＬＥＤ８３ｂ、第３の後側ＬＥＤ８３ｃ、および第４の後側ＬＥＤ８３ｄとする。第１〜第４の後側ＬＥＤ８３ａ〜８３ｄはそれぞれ、ランプ基板８１の背面に沿って上方向に進む光を発光させる。８つの後側ＬＥＤ８３ａ〜８３ｈのうち４つの後側ＬＥＤ８３ｅ〜８３ｈはそれぞれ、光軸Ｂｘ５〜Ｂｘ８が右方向（図１１における左方向）に延びた状態で上下方向に並んで配置される。上下方向に並ぶ４つの後側ＬＥＤ８３ｅ〜８３ｈにおいて、上から順に、第５の後側ＬＥＤ８３ｅ、第６の後側ＬＥＤ８３ｆ、第７後側ＬＥＤ８３ｇ、および第８の後側ＬＥＤ８３ｈとする。第５〜第８の後側ＬＥＤ８３ｅ〜８３ｈはそれぞれ、ランプ基板８１の背面に沿って右方向に進む光を発光させる。
【００４３】
後側透光部材９１は、図１２〜図１４に示すように、透明樹脂材料を用いて前方に開口を有する箱状に形成され、ランプ基板８１の背面側に重なるように設けられた板状の底板部９２（図１１も参照）と、底板部９２の縁部から前方に延びてランプ基板８１および前側透光部材１１１の縁部を囲む側壁部１０３（図１０も参照）とを有している。底板部９２には、第１〜第８の後側ＬＥＤ８３ａ〜８３ｈをそれぞれ受容する第１〜第８の後側受容部９３ａ〜９３ｈが形成されている。
【００４４】
第１の後側受容部９３ａは、図１２〜図１４に示すように、底板部９２の上部において第１の後側ＬＥＤ８３ａを受容可能な貫通穴状に形成される。底板部９２における第１の後側受容部９３ａの上方には、第１の後側ＬＥＤ８３ａで発光した光を透過させる第１の後側透光部９４ａが形成される。第１の後側透光部９４ａは、第１の後側受容部９３ａから上方に延びて底板部９２の縁部まで達するようになっている。第１の後側透光部９４ａにおける第１の後側受容部９３ａに隣接する端面は、第１の後側受容部９３ａに向けて凹側に湾曲する曲面状に形成されており、第１の後側ＬＥＤ８３ａで発光した光を発散させるようになっている。第１の後側透光部９４ａにおける底板部９２の縁部近傍には、第１の後側反射部９５ａが形成される。第１の後側反射部９５ａは、底板部９２の背面側に形成された、第１の後側ＬＥＤ８３ａの光軸Ｂｘ１に沿って並ぶ複数の後側溝部９６ａを有して構成される。第１の後側反射部９５ａの複数の後側溝部９６ａは、第１の後側受容部９３ａから離れるほど曲率半径が大きくなる円弧状に延びて形成されている。第１の後側反射部９５ａは、ランプ基板８１と側壁部１０３との間隙部Ｋ（図１０を参照）と重なる部分に配置され、第１の後側ＬＥＤ８３ａで発光したランプ基板８１の背面に沿って進む（すなわち、第１の後側透光部９４ａの中を進む）光の一部を間隙部Ｋに向けて反射させる。
【００４５】
第２〜第４の後側受容部９３ｂ〜９３ｄは、第１の後側受容部９３ａと同様に、底板部９２の上部において第２〜第４の後側ＬＥＤ８３ｂ〜８３ｄを受容可能な貫通穴状に形成される。底板部９２における第２〜第４の後側受容部９３ｂ〜９３ｄの上方には、第１の後側透光部９４ａと同様にして、第２〜第４の後側ＬＥＤ８３ｂ〜８３ｄで発光した光を透過させる第２〜第４の後側透光部９４ｂ〜９４ｄが形成される。第２〜第４の後側透光部９４ｂ〜９４ｄにおける底板部９２の縁部近傍には、第２〜第４の後側反射部９５ｂ〜９５ｄが形成される。第２〜第４の後側反射部９５ｂ〜９５ｄは、底板部９２の背面側に形成された、第２〜第４の後側ＬＥＤ８３ｂ〜８３ｄの光軸Ｂｘ２〜Ｂｘ４に沿って並ぶ複数の後側溝部９６ｂ〜９６ｄを有して構成される。第２〜第４の後側反射部９５ｂ〜９５ｄの複数の後側溝部９６ｂ〜９６ｄは、第２〜第４の後側受容部９３ｂ〜９３ｄから離れるほど曲率半径が大きくなる円弧状に延びて形成されている。第２〜第４の後側反射部９５ｂ〜９５ｄは、ランプ基板８１と側壁部１０３との間隙部Ｋ（図１０を参照）と重なる部分に配置され、第２〜第４の後側ＬＥＤ８３ｂ〜８３ｄで発光したランプ基板８１の背面に沿って進む（すなわち、第２〜第４の後側透光部９４ｂ〜９４ｄの中を進む）光の一部を間隙部Ｋに向けて反射させる。
【００４６】
第５〜第８の後側受容部９３ｅ〜９３ｈは、図１２〜図１４に示すように、底板部９２の右側において第５〜第８の後側ＬＥＤ８３ｅ〜８３ｈを受容可能な貫通穴状に形成される。底板部９２における第５〜第８の後側受容部９３ｅ〜９３ｈの右方には、第１の後側透光部９４ａと同様にして、第５〜第８の後側ＬＥＤ８３ｅ〜８３ｈで発光した光を透過させる第５〜第８の後側透光部９４ｅ〜９４ｈが形成される。第５〜第８の後側透光部９４ｅ〜９４ｈにおける底板部９２の縁部近傍には、第５〜第８の後側反射部９５ｅ〜９５ｈが形成される。第５〜第８の後側反射部９５ｅ〜９５ｈは、底板部９２の背面側に形成された、第５〜第８の後側ＬＥＤ８３ｅ〜８３ｈの光軸Ｂｘ５〜Ｂｘ８に沿って並ぶ複数の後側溝部９６ｅ〜９６ｈを有して構成される。第５〜第８の後側反射部９５ｅ〜９５ｈの複数の後側溝部９６ｅ〜９６ｈは、第５〜第８の後側受容部９３ｅ〜９３ｈから離れるほど曲率半径が大きくなる円弧状に延びて形成されている。第５〜第８の後側反射部９５ｅ〜９５ｈは、ランプ基板８１と側壁部１０３との間隙部Ｋ（図１０を参照）と重なる部分に配置され、第５〜第８の後側ＬＥＤ８３ｅ〜８３ｈで発光したランプ基板８１の背面に沿って進む（すなわち、第５〜第８の後側透光部９４ｅ〜９４ｈの中を進む）光の一部を間隙部Ｋに向けて反射させる。
【００４７】
なお、第１〜第８の後側反射部９５ａ〜９５ｈにおける後側溝部９６ａ〜９６ｈの断面形状は、例えばＶ字形に形成される。また、各後側溝部９６ａ〜９６ｈの断面形状は、Ｖ字形に限られるものではなく、第１〜第８の後側透光部９４ａ〜９４ｈの中を進む光の一部を間隙部Ｋに向けて反射させることが可能な断面形状であればよい。
【００４８】
図１５に示すように、側壁部１０３に繋がる底板部９２の縁部には、第１〜第８の後側透光部９４ａ〜９４ｈを透過する光を側壁部１０３に向けて反射させる反射面部９７が形成されている。反射面部９７は、底板部９２の背面および側壁部１０３の外側面に対してそれぞれ４５度だけ傾斜するように形成されており、所定の全反射角よりも大きな入射角で入射した光を反射させるようになっている。
【００４９】
また、底板部９２の前面側には、ランプ基板８１の係合穴８４と前側透光部材１１１の係合穴１１８とに係合可能な係合ピン９８が形成される。底板部９２の中央部には、ランプ基板８１の背面側に配設された抵抗器（図示せず）を受容可能な長穴状の逃げ穴部９９が形成される。底板部９２の縁部近傍には、装飾部材１２１を後側透光部材９１に取り付けるための装飾部材取付穴１００が形成される。底板部９２の左下部には、ベース部６０と可動部８０（後側透光部材９１）とを連結する連結ピン６２が取り付けられる連結ピン取付穴１０１が形成される。底板部９２の中央下部には、揺動機構７０の第２揺動ピン７８が取り付けられる揺動ピン取付穴１０２が形成される。
【００５０】
側壁部１０３は、ランプ基板８１と前側透光部材１１１とを重ねた分だけ高くなるように形成され、ランプ基板８１および前側透光部材１１１の縁部を囲むようになっている。これにより、ランプ基板８１および前側透光部材１１１は、後側透光部材９１の内部空間に収容される（図２１を参照）。
【００５１】
前側透光部材１１１は、図１６〜図１８に示すように、透明樹脂材料を用いて板状に形成され、ランプ基板８１の前面側に重なるように設けられる。前側透光部材１１１の背面側には、第１〜第７の前側ＬＥＤ８２ａ〜８２ｇをそれぞれ受容する第１〜第７の前側受容部１１３ａ〜１１３ｇが形成されている。
【００５２】
第１の前側受容部１１３ａは、図１７〜図１８に示すように、前側透光部材１１１の略中央部において第１の前側ＬＥＤ８２ａを受容可能な穴状に形成される。前側透光部材１１１における第１の前側受容部１１３ａの右方には、第１の前側ＬＥＤ８２ａで発光した光を透過させる第１の前側透光部１１４ａが形成される。第１の前側透光部１１４ａは、第１の前側受容部１１３ａから右方に延びて前側透光部材１１１の縁部近傍まで達するようになっている。第１の前側透光部１１４ａにおける第１の前側受容部１１３ａに隣接する端面は、第１の前側受容部１１３ａに向けて凹側に湾曲する曲面状に形成されており、第１の前側ＬＥＤ８２ａで発光した光を発散させるようになっている。第１の前側透光部１１４ａには、第１の前側反射部１１５ａが第１の前側透光部１１４ａの全体に亘って形成される。第１の前側反射部１１５ａは、前側透光部材１１１の背面側に形成された、第１の前側ＬＥＤ８２ａの光軸Ａｘ１に沿って並ぶ複数の前側溝部１１６ａを有して構成される。第１の前側反射部１１５ａの複数の前側溝部１１６ａは、第１の前側受容部１１３ａから離れるほど曲率半径が大きくなる円弧状に延びて形成されている。第１の前側受容部１１３ａおよび第１の前側透光部１１４ａは、装飾部材１２１の装飾部１２２（図１９を参照）と重なる部分に配置され、第１の前側反射部１１５ａは、第１の前側ＬＥＤ８２ａで発光したランプ基板８１の前面に沿って進む（すなわち、第１の前側透光部１１４ａの中を進む）光の一部を装飾部材１２１に向けて反射させる。
【００５３】
第２〜第７の前側受容部１１３ｂ〜１１３ｇは、第１の前側受容部１１３ａと同様に、前側透光部材１１１の略中央部において第２〜第７の前側ＬＥＤ８２ｂ〜８２ｇを受容可能な穴状に形成される。前側透光部材１１１における第１の前側受容部１１３ａの右方には、第１の後側透光部９４ａと同様にして、第２〜第７の前側ＬＥＤ８２ｂ〜８２ｇで発光した光を透過させる第２〜第７の前側透光部１１４ｂ〜１１４ｇが形成される。第２〜第７の前側透光部１１４ｂ〜１１４ｇには、第２〜第７の前側反射部１１５ｂ〜１１５ｇが第２〜第７の前側透光部１１４ｂ〜１１４ｇの全体に亘って形成される。第２〜第７の前側反射部１１５ｂ〜１１５ｇは、前側透光部材１１１の背面側に形成された、第２〜第７の前側ＬＥＤ８２ｂ〜８２ｇの光軸Ａｘ２〜Ａｘ７に沿って並ぶ複数の前側溝部１１６ｂ〜１１６ｇを有して構成される。第２〜第７の前側反射部１１５ｂ〜１１５ｇの複数の前側溝部１１６ｂ〜１１６ｇは、第２〜第７の前側受容部１１３ｂ〜１１３ｇから離れるほど曲率半径が大きくなる円弧状に延びて形成されている。第２〜第７の前側受容部１１３ｂ〜１１３ｇおよび第２〜第７の前側透光部１１４ｂ〜１１４ｇは、装飾部材１２１の装飾部１２２（図１９を参照）と重なる部分に配置され、第２〜第７の前側反射部１１５ｂ〜１１５ｇは、第２〜第７の前側ＬＥＤ８２ｂ〜８２ｇで発光したランプ基板８１の前面に沿って進む（すなわち、第２〜第７の前側透光部１１４ｂ〜１１４ｇの中を進む）光の一部を装飾部材１２１の装飾部１２２に向けて反射させる。
【００５４】
なお、第１〜第７の前側受容部１１３ａ〜１１３ｇにおける前側溝部１１６ａ〜１１６ｇの断面形状は、例えばＶ字形に形成される。また、各前側溝部１１６ａ〜１１６ｇの断面形状は、Ｖ字形に限られるものではなく、第１〜第７の前側透光部１１４ａ〜１１４ｇの中を進む光の一部を装飾部材１２１に向けて反射させることが可能な断面形状であればよい。また、第１〜第７の前側受容部１１３ａ〜１１３ｇの底部に複数の溝が直線状に延びて形成され、第１〜第７の前側ＬＥＤ８２ａ〜８２ｇが前方から視認され難くなっている。
【００５５】
ランプ基板８１と側壁部１０３との間隙部Ｋ（図１０を参照）と重なる前側透光部材１１１の上縁部には、図１６に示すように、間隙側透光部１１７が前面側に突出して形成される。間隙側透光部１１７は、後側透光部材９１の第１〜第８の後側反射部９５ａ〜９５ｈで反射して間隙部Ｋを通過した光を、装飾部材１２１の周辺溝部１２３（図２０を参照）に向けて透過させる。
【００５６】
また、前側透光部材１１１には、後側透光部材９１の係合ピン９８が係合可能な係合穴１１８が形成される。前側透光部材１１１の上部背面側には、図１７に示すように、ランプ基板８１の前面側に配設された抵抗器（図示せず）を受容可能な角穴状の逃げ部１１９が形成される。
【００５７】
装飾部材１２１は、透光性を有する樹脂材料を用いて板状に形成され、前側透光部材１１１の前面側および前側透光部材１１１を囲む（後側透光部材９１の）側壁部１０３の前側端部に重なるように設けられる。装飾部材１２１の中央部には、図１９に示すように、印刷等により所定の装飾が施された装飾部１２２が設けられる。装飾部材１２１の背面側における装飾部１２２の周辺部には、図２０に示すように、放射状に延びる複数の周辺溝部１２３が形成される。
【００５８】
また、装飾部材１２１の背面側における縁部近傍には、図２０に示すように、装飾部材１２１を後側透光部材９１に取り付けるための取付ボス１２４が背面側に突出して形成される。取付ボス１２４は、後側透光部材９１の装飾部材取付穴１００と嵌合可能な円柱状に形成されており、取付ボス１２４を装飾部材取付穴１００に嵌合させた状態で、ネジ等の固定部材により後側透光部材９１の背面側から取付ボス１２４を固定することで、装飾部材１２１が後側透光部材９１の開口を覆う状態で後側透光部材９１に取り付けられる。なお、ランプ基板８１および前側透光部材１１１は、後側透光部材９１と装飾部材１２１とに囲まれた内部空間に収容される（図２１を参照）。
【００５９】
以上のように構成される電飾装置５０において、通常は、可動部８０を倒伏位置に揺動させる制御信号が副制御装置４３から出力される。このとき、モーター制御基板６４は、副制御装置４３から入力されたモーター制御信号に応じて、可動部８０を倒伏位置に揺動させるように駆動モーター６３の作動を制御する。駆動モーター６３は、揺動機構７０を介して、可動部８０を倒伏位置に向けて下方に揺動させる。そして、可動部８０が倒伏位置に揺動すると、倒伏検出センサ６６からモーター制御基板６４に検出信号が出力され、モーター制御基板６４が駆動モーター６３の作動を停止する制御を行う。
【００６０】
一方、所定の状態（例えば、いわゆる擬似連と称される演出が実行された状態）においては、可動部８０を起立位置に揺動させる制御信号が副制御装置４３から出力される。このとき、モーター制御基板６４は、副制御装置４３から入力されたモーター制御信号に応じて、可動部８０を起立位置に揺動させるように駆動モーター６３の作動を制御する。駆動モーター６３は、揺動機構７０を介して、可動部８０を起立位置に向けて上方に揺動させる。そして、可動部８０が起立位置に揺動すると、起立検出センサ６５からモーター制御基板６４に検出信号が出力され、モーター制御基板６４が駆動モーター６３の作動を停止する制御を行う。
【００６１】
これにより、例えば図５の二点鎖線で示すように、可動部８０が図柄表示装置１８の前方に現れ、副制御装置４３から可動部８０の装飾部材１２１を発光させる制御信号が出力されて、所定の演出が実行されるようになっている。またこのとき、副制御装置４３は、可動部８０（装飾部材１２１）の発光制御と組み合わせて、例えば図５の二点鎖線で示すように、図柄表示装置１８に漫画の吹き出しを模したキャラクタＣを表示させる制御を行うことも可能である。
【００６２】
ランプ基板８１は、副制御装置４３から入力された発光制御信号に応じて、前側ＬＥＤ８２ａ〜８２ｇおよび後側ＬＥＤ８３ａ〜８３ｈの発光制御を行う。第１〜第７の前側ＬＥＤ８２ａ〜８２ｇで発光した光は、ランプ基板８１の前面に沿って右方に進み、第１〜第７の前側透光部１１４ａ〜１１４ｇを透過する。第１〜第７の前側透光部１１４ａ〜１１４ｇを透過する光の一部は、第１〜第７の前側反射部１１５ａ〜１１５ｇ（前側溝部１１６ａ〜１１６ｇ）で前方に反射し、装飾部材１２１の装飾部１２２に照射される。これにより、第１〜第７の前側ＬＥＤ８２ａ〜８２ｇで発光した光が、ランプ基板８１の前面に沿って前側透光部材１１１の中央部全体に広がり、当該全体に広がる光の一部が第１〜第７の前側反射部１１５ａ〜１１５ｇ（前側溝部１１６ａ〜１１６ｇ）で前方に反射するため、薄板状に形成された装飾部材１２１の装飾部１２２が均一に照明されて発光する。
【００６３】
なお、装飾部材１２１の背面中央部には、装飾部材１２１の背面における他の領域よりも平滑な平滑領域１２５が、斜め方向に直線状に延びて形成されている。平滑領域１２５は、例えば、装飾部材１２１の成型に用いる金型の面の一部を平滑にすることで形成可能である。平滑領域１２５においては、他の領域よりも反射率が高くなるため、前側透光部材１１１からの光が装飾部材１２１の前面側に到達しにくくなる。このような平滑領域１２５を設けることによって、装飾部１２２における発光ムラが抑えられ、装飾部１２２が均一に照明されて発光する。また、この平滑領域１２５は、第１〜第７の前側ＬＥＤ８２ａ〜８２ｇ（前側透光部材１１１における第１〜第７の前側受容部１１３ａ〜１１３ｇ）と位置整合するように配置されてもよい。これにより、第１〜第７の前側ＬＥＤ８２ａ〜８２ｇから前方に射出された一部の光が平滑領域１２５において高い反射率で反射されるため、装飾部１２２における発光ムラを効果的に抑えることができる。
【００６４】
第１〜第８の後側ＬＥＤ８３ａ〜８３ｈで発光した光は、ランプ基板８１の背面に沿って上方または右方に進み、第１〜第８の後側透光部９４ａ〜９４ｈを透過する。第１〜第８の後側透光部９４ａ〜９４ｈを透過する光の一部は、第１〜第８の後側反射部９５ａ〜９５ｈ（後側溝部９６ａ〜９６ｈ）で前方に反射する。第１〜第８の後側反射部９５ａ〜９５ｈ（後側溝部９６ａ〜９６ｈ）で反射した光は、ランプ基板８１と側壁部１０３との間隙部Ｋを通過して前側透光部材１１１の間隙側透光部１１７を透過し、装飾部材１２１の周辺溝部１２３（上側部分および右側部分）に照射される。周辺溝部１２３に照射された光は周辺溝部１２３で拡散されるため、装飾部材１２１の装飾部１２２の上側および右側の周辺部（周辺溝部１２３）が均一に照明されて発光する。
【００６５】
また、第１〜第８の後側透光部９４ａ〜９４ｈを透過する光の一部は、反射面部９７で反射して側壁部１０３を透過し、装飾部材１２１の上側および右側の縁部に照射される。これにより、第１〜第８の後側ＬＥＤ８３ａ〜８３ｈで発光した光が、後側透光部材９１の底板部９２（第１〜第８の後側透光部９４ａ〜９４ｈ）および側壁部１０３を介して、装飾部材１２１の縁部に導かれ、装飾部材１２１の上側および右側の縁部が明瞭に発光する。このように、前側ＬＥＤ８２ａ〜８２ｇおよび後側ＬＥＤ８３ａ〜８３ｈを発光させることにより、薄板状の装飾部材１２１を均一にかつ明瞭に発光させることができる。
【００６６】
以上説明したように、本実施形態によれば、ランプ基板８１の前面側に重なるように設けられた前側透光部材１１１は、第１〜第７の前側ＬＥＤ８２ａ〜８２ｇで発光したランプ基板８１の前面に沿って進む光を装飾部材１２１に向けて反射させる第１〜第７の前側反射部１１５ａ〜１１５ｇを有している。これにより、第１〜第７の前側ＬＥＤ８２ａ〜８２ｇで発光した光をランプ基板８１の前面に沿って前側透光部材１１１の全体に行き渡らせつつ、前側透光部材１１１を通る光の一部を装飾部材１２１に向けて反射させることで、薄板状の装飾部材１２１を均一に発光させることが可能となる。本実施形態のように、電飾装置５０が遊技盤１０における化粧板１１と図柄表示装置１８との間に設けられる場合には、遊技盤１０における電飾装置５０の設置スペースの制約が大きいため、特に効果的である。
【００６７】
また、第１〜第７の前側反射部１１５ａ〜１１５ｇは、第１〜第７の前側透光部１１４ａ〜１１４ｇの背面側に形成された、第１〜第７の前側ＬＥＤ８２ａ〜８２ｇで発光した光の進む方向に沿って並ぶ複数の前側溝部１１６ａ〜１１６ｇを有し、この複数の前側溝部１１６ａ〜１１６ｇは、第１〜第７の前側受容部１１３ａ〜１１３ｇから離れるほど曲率半径が大きくなる円弧状に延びて形成されている。これにより、全反射角よりも大きな入射角で各前側溝部１１６ａ〜１１６ｇの傾斜面に入射した一部の光が装飾部材１２１に向けて反射する。このとき、各前側溝部１１６ａ〜１１６ｇの曲率半径が第１〜第７の前側受容部１１３ａ〜１１３ｇから離れるほど大きいため、各前側溝部１１６ａ〜１１６ｇが第１〜第７の前側透光部１１４ａ〜１１４ｇを透過する光に対して負レンズ（負メニスカスレンズ）として作用する。そのため、各前側溝部１１６ａ〜１１６ｇの傾斜面で反射した光が発散して装飾部材１２１に到達することから、薄板状の装飾部材１２１をより均一に発光させることができる。
【００６８】
また、後側透光部材９１の底板部９２は、第１〜第８の後側ＬＥＤ８３ａ〜８３ｈで発光した光を透過させる第１〜第８の後側透光部９４ａ〜９４ｈを有し、側壁部１０３に繋がる底板部９２の縁部に、第１〜第８の後側透光部９４ａ〜９４ｈを透過する光を側壁部１０３に向けて反射させる反射面部９７が設けられている。これにより、第１〜第８の後側ＬＥＤ８３ａ〜８３ｈで発光した光を、後側透光部材９１の底板部９２および側壁部１０３を介して、装飾部材１２１の縁部に導くことが可能となり、装飾部材１２１の縁部を明瞭に発光させることができる。
【００６９】
また、第１〜第８の後側透光部９４ａ〜９４ｈは、第１〜第８の後側ＬＥＤ８３ａ〜８３ｈで発光したランプ基板８１の背面に沿って進む光を、ランプ基板８１と側壁部１０３との間隙部Ｋに向けて反射させる第１〜第８の後側反射部９５ａ〜９５ｈを有している。これにより、第１〜第８の後側ＬＥＤ８３ａ〜８３ｈで発光した光を、ランプ基板８１と側壁部１０３との間隙部Ｋを利用して、装飾部材１２１の縁部近傍に導くことが可能となり、薄板状の装飾部材１２１をより均一に発光させることができる。
【００７０】
また、第１〜第８の後側透光部９４ａ〜９４ｈは、底板部９２における間隙部Ｋと重なる部分の背面側に形成された、第１〜第８の後側ＬＥＤ８３ａ〜８３ｈで発光した光の進む方向に沿って並ぶ複数の後側溝部９６ａ〜９６ｈを有し、この複数の後側溝部９６ａ〜９６ｈは、第１〜第８の後側受容部９３ａ〜９３ｈから離れるほど曲率半径が大きくなる円弧状に延びて形成されている。これにより、全反射角よりも大きな入射角で各後側溝部９６ａ〜９６ｈの傾斜面に入射した一部の光が装飾部材１２１（間隙部Ｋ）に向けて反射する。このとき、各後側溝部９６ａ〜９６ｈの曲率半径が第１〜第８の後側受容部９３ａ〜９３ｈから離れるほど大きいため、各後側溝部９６ａ〜９６ｈが第１〜第８の後側透光部９４ａ〜９４ｈを透過する光に対して負レンズ（負メニスカスレンズ）として作用する。そのため、各後側溝部９６ａ〜９６ｈの傾斜面で反射した光が発散して装飾部材１２１に到達することから、薄板状の装飾部材１２１をより均一に発光させることができる。
【００７１】
また、前側透光部材１１１における間隙部Ｋと重なる部分に、第１〜第８の後側反射部９５ａ〜９５ｈで反射した光を透過させる間隙側透光部１１７が設けられている。これにより、第１〜第８の後側ＬＥＤ８３ａ〜８３ｈで発光した光を、ランプ基板８１と側壁部１０３との間隙部Ｋを利用して、装飾部材１２１の縁部近傍に導くことが可能となり、薄板状の装飾部材１２１をより均一に発光させることができる。
【００７２】
また、装飾部材１２１は、背面側に第１〜第７の前側受容部１１３ａ〜１１３ｇおよび第１〜第７の前側透光部１１４ａ〜１１４ｇが設けられる装飾部１２２と、装飾部１２２の周辺部に間隙側透光部１１７と重なるように形成された複数の周辺溝部１２３とを有している。これにより、ランプ基板８１と側壁部１０３との間隙部Ｋを通過した光の強度にムラが生じたとしても、周辺溝部１２３で拡散されて均一な照明を行うことが可能となり、薄板状の装飾部材１２１をより均一に発光させることができる。
【００７３】
上述の実施形態において、装飾部材１２１と前側透光部材１１１との間に、樹脂製の拡散シートを挟み込むようにしてもよい。これにより、拡散シートが絶縁性を有するため、装飾部材１２１をより均一に発光させることができるだけでなく、ノイズ対策にも有効である。
【００７４】
上述の実施形態において、電飾装置５０が遊技盤１０に設けられているが、これに限られるものではなく、前枠２に設けられてもよい。
【００７５】
上述の実施形態において、電飾装置５０は、ベース部６０と、ベース部６０に揺動可能に支持された可動部８０とを主体に構成されているが、これに限られるものではない。例えば、可動部８０に相当する部材を単体で電飾装置として使用し、遊技盤１０のセンター飾りや前枠２等に固設するようにしてもよい。また、第１の可動式演出装置２００の電飾部材２０１を、可動部８０に相当する部材で構成することも可能である。
【００７６】
上述の実施形態において、本発明が適用される遊技機の一例として、パチンコ機を例示して説明したが、これに限定されるものではなく、例えば、アレンジボール、雀球遊技機、スロットマシンなどについても同様に適用し、同様の効果を得ることができる。
【符号の説明】
【００７７】
ＰＭ  パチンコ機（遊技機）
ＰＡ  遊技領域
Ｋ  間隙部
１  外枠（本体部材）
２  内枠（開閉部材）
１０  遊技盤
５０  電飾装置
８０  可動部
８１  ランプ基板
８２ａ〜８２ｇ  第１〜第７の前側ＬＥＤ（一方側発光体）
８３ａ〜８３ｈ  第１〜第８の後側ＬＥＤ（他方側発光体）
９１  後側透光部材
９２  底板部
９３ａ〜９３ｈ  第１〜第８の後側受容部
９４ａ〜９４ｈ  第１〜第８の後側透光部
９５ａ〜９５ｈ  第１〜第８の後側反射部
９６ａ〜９６ｈ  第１〜第８の後側溝部
９７  反射面部
１０３  側壁部
１１１  前側透光部材
１１３ａ〜１１３ｇ  第１〜第７の前側受容部
１１４ａ〜１１４ｇ  第１〜第７の前側透光部
１１５ａ〜１１５ｇ  第１〜第７の前側反射部
１１６ａ〜１１６ｇ  第１〜第７の後側溝部
１１７  間隙側透光部
１２１  装飾部材
１２２  装飾部
１２３  周辺溝部
【図１】
2014104058.tif 000003
【図２】
2014104058.tif 000004
【図３】
2014104058.tif 000005
【図４】
2014104058.tif 000006
【図５】
2014104058.tif 000007
【図６】
2014104058.tif 000008
【図７】
2014104058.tif 000009
【図８】
2014104058.tif 000010
【図９】
2014104058.tif 000011
【図１０】
2014104058.tif 000012
【図１１】
2014104058.tif 000013
【図１２】
2014104058.tif 000014
【図１３】
2014104058.tif 000015
【図１４】
2014104058.tif 000016
【図１５】
2014104058.tif 000017
【図１６】
2014104058.tif 000018
【図１７】
2014104058.tif 000019
【図１８】
2014104058.tif 000020
【図１９】
2014104058.tif 000021